(57)【要約】【課題】  検眼中であっても被検眼の位置を容易に精度良く確認できる検眼装置を提供する。【解決手段】  複数のディスクに保持された光学素子を検査窓に切り換え配置して被検眼の屈折力を自覚的に検査する検眼装置において、レンズ装用基準位置と被検眼の角膜頂点との頂間距離を確認するために前記被検眼の角膜を側方より撮影する位置に設けられ被検眼を撮影する撮影手段と、該撮影手段にて撮影された撮影像を表示する表示手段と、を備える。【選択図】      図３
2006187430.tif 000002
【特許請求の範囲】
【請求項１】
複数のディスクに保持された光学素子を検査窓に切り換え配置して被検眼の屈折力を自覚的に検査する検眼装置において、前記光学素子と被検眼との位置関係を確認するために被検眼を撮影する位置に設けられる撮影手段と、該撮影手段にて撮影された撮影像を表示する表示手段と、を備えることを特徴とする検眼装置。
【請求項２】
請求項１の検眼装置において、前記位置関係とはレンズ装用基準位置と被検眼の角膜頂点との頂間距離であり、前記撮影手段は前記被検眼の角膜を側方より撮影可能な構成とされるとともに、さらに検眼装置は前記頂間距離を定めるための目盛が付された目盛板と，該目盛板を介して目視にて前記頂間距離を確認するための頂間距離確認部を備えることを特徴とする検眼装置。
【請求項３】
請求項２の検眼装置は、該検眼装置を操作するための操作部と種々の検眼情報を表示するディスプレイと有したコントローラを備え、該コントローラは前記表示手段を兼ねることを特徴とする検眼装置。
【請求項４】
請求項３の検眼装置において、前記コントローラは前記検眼情報と前記撮影手段により撮影された角膜像とを同一画面に表示することを特徴とする検眼装置。
【請求項５】
請求項４のコントローラは、前記ディスプレイに表示される前記角膜像の表示をオン／オフするための選択スイッチを有していることを特徴とする検眼装置。
【請求項６】
請求項２の検眼装置において、前記撮影手段は前記目盛板を介して前記被検眼の角膜を撮影することを特徴とする検眼装置。
【発明の詳細な説明】
【技術分野】
【０００１】
本発明は、被検眼の屈折力を自覚的に検査する検眼装置に係り、殊に検眼装置と被検眼との位置確認をするのに好適な検眼装置に関する。
【背景技術】
【０００２】
被検者が眼鏡を装用する際、レンズ後面（レンズ装用基準位置）に対する被検眼の角膜頂点の頂間距離ＶＤは、一般に、１３．７５ｍｍや１２．００ｍｍが基準距離とされている。従って、自覚式の検眼装置による屈折力検査においては、レンズ後面と被検眼の角膜頂点との頂間距離ＶＤを確認する必要がある。このため、検眼窓に所望の光学素子を切換え配置して被検眼の屈折力を自覚的に検査する検眼装置においては、頂間距離ＶＤを確認するための角膜位置確認機構が設けられている。
【０００３】
図１０は、従来の検眼装置１００が備える角膜位置確認機構を示す概略構成図であり、検眼窓１０１には種々の光学素子１０２が切換え配置され、被検眼ＰＥは光学素子１０２を通して前方の視標１１０を視認する。角膜位置確認機構１２０は、被検眼ＰＥの側方に配置された照準目盛板１２１と、反射ミラー１２２と、反射ミラー１２２の反射方向に配置されたレチクル板１２３とにより構成されている。照準目盛板１２１は透過性を有する樹脂等の板材に彫刻や印刷等にて目盛が付されたものである。検者は、レチクル板１２３から所定距離（例えば２５０ｍｍ）離れた位置から、図１１のように、レチクル板１２３に付された三角形状のレチクル１２４と照準目盛板１２１に付された目盛の長線と一致して見える所に位置した後、長線やその左右にある短線の目盛に対する被検眼Ｅの角膜頂点の位置関係を確認する。例えば、角膜頂点が長線上に位置すれば、ＶＤ＝１３．７５ｍｍである。短線はＶＤの各距離に対応する距離で複数本付されており、角膜頂点がどの短線又は長線の目盛に位置するかにより、ＶＤを測定できるようになっている。また、この種の角膜位置確認を電気的に行う構成を備える検眼装置の一例としては、例えば下記の特許文献１が挙げられる。
【特許文献１】特開平６−１８１８８８号公報
【発明の開示】
【発明が解決しようとする課題】
【０００４】
しかしながら、前者に示した検者が目視にて頂間距離ＶＤを確認する従来の検眼装置にて、検眼中における頂間距離ＶＤの変化を確認するためには、検者が都度、照準目盛版の目盛と被検眼の角膜頂点との位置関係を読み取る必要があり、非情に手間である。また、後者に示した角膜位置確認を電気的に行う構成を備える検眼装置では、そのような手間は軽減するものの、被検眼の角膜頂点位置が目的とする位置であるか否かのみの情報を検者に報知するだけであるため、位置合わせに時間がかかることとなる。また、このような情報は検眼装置本体の表示ランプの点灯のオン／オフにて報知するため、検者はこの表示ランプを確認できる位置にて検眼を行う必要がある。
本発明は、上記従来技術の問題点に鑑み、検眼中であっても被検眼の位置を容易に精度良く確認できる検眼装置を提供することを技術課題とする。
【課題を解決するための手段】
【０００５】
上記課題を解決するために、本発明は以下のような構成を備えることを特徴とする。
（１）  複数のディスクに保持された光学素子を検査窓に切り換え配置して被検眼の屈折力を自覚的に検査する検眼装置において、前記光学素子と被検眼との位置関係を確認するために被検眼を撮影する位置に設けられる撮影手段と、該撮影手段にて撮影された撮影像を表示する表示手段と、を備えることを特徴とする。
（２）  （１）の検眼装置において、前記位置関係とはレンズ装用基準位置と被検眼の角膜頂点との頂間距離であり、前記撮影手段は前記被検眼の角膜を側方より撮影可能な構成とされるとともに、さらに検眼装置は前記頂間距離を定めるための目盛が付された目盛板と，該目盛板を介して目視にて前記頂間距離を確認するための頂間距離確認部を備えることを特徴とする。
（３）  （２）の検眼装置は、該検眼装置を操作するための操作部と種々の検眼情報を表示するディスプレイと有したコントローラを備え、該コントローラは前記表示手段を兼ねることを特徴とする。
（４）  （３）の検眼装置において、前記コントローラは前記検眼情報と前記撮影手段により撮影された角膜像とを同一画面に表示することを特徴とする。
（５）  （４）のコントローラは、前記ディスプレイに表示される前記角膜像の表示をオン／オフするための選択スイッチを有していることを特徴とする。
（６）  （２）の検眼装置において、前記撮影手段は前記目盛板を介して前記被検眼の角膜を撮影することを特徴とする。
【発明の効果】
【０００６】
本発明によれば、検眼中であっても被検眼の位置を容易に精度良く確認できる。
【発明を実施するための最良の形態】
【０００７】
以下、本発明の実施の形態を図面に基づいて説明する。図１は実施例である検眼装置の外観略図、図２は制御系を含む要部構成図を示す。
１は測定眼の屈折力検査を自覚的に行う検眼装置本体であり、左右一対のレンズユニット１０を備える。各レンズユニット１０内には、種々の多数の光学素子を同一円周上に配置した図示なき複数のレンズディスクが回転可能に設けられており、このレンズディスクを回転させることにより、検査窓１１に所期する矯正光学系を切換え配置する。レンズユニット１０は支持ユニット５によって、検眼窓１１が被検眼の高さに合うように支持されている。なお、各レンズディスクはそれぞれモータ等からなる駆動部４２により回転駆動され、検査窓１１に所期する矯正光学系を切換え配置する。４１は検眼装置本体１の駆動制御を行うためのマイクロコンピュータからなる制御部である。
【０００８】
２は検査視標を呈示する視標呈示装置であり、所望の検査視標を被検眼前方に置かれた図示なきスクリーンに投影する。なお、本実施形態では投影式の視標呈示装置を用いているが、これに限るものではなく、省スペース型（凹面鏡や多数の反射ミラーを使用したタイプ）や据え置き型（視標を背後から照明するタイプ）等、従来使用されている視標呈示装置を使用することができる。
【０００９】
３は検眼装置本体１及び視標呈示装置２を操作するためのコントローラであり、検眼装置本体１や視標呈示装置２を操作するための操作部３２となる各種スイッチ群や、検眼情報を表示するディスプレイ３１を有している。コントローラ３からのスイッチ信号は、リレーユニット４を介して検眼装置本体１及び視標呈示装置２に送信され、検眼装置本体１及び視標呈示装置２は受け取った信号に基づいて駆動する。なお、図２に示す４０は、コントローラ３の駆動制御を行うためのマイクロコンピュータからなる制御部である。また、６は被検眼の屈折力を他覚的に測定する眼屈折力測定装置であり、この装置にて得られた被検眼の屈折力値等の測定値は、リレーユニット４を介してコントローラ３に送信される。
【００１０】
図３は、図１に示すレンズユニット１０の本発明に関する内部の要部構成を示した図である。検眼装置のレンズユニット１０は、被検者の左右眼を測定するために左右それぞれに分割配置されている。図３では左眼測定側のレンズユニット１０のみ図示しており、右眼測定用のレンズ室ユニット２は左右対称で構成されているので、省略する。なお、左右のレンズ室ユニット１０は、支持ユニットによって間隔が調整可能に支持されており、被検眼の瞳孔間距離に合わせて調整可能である。
【００１１】
レンズユニット１０内には、屈折検査に用いられる球面レンズや円柱レンズなどの複数の光学素子７が検眼窓１１に切換え配置可能に設けられている。前述したように、光学素子７は、それぞれレンズディスクに配置されており、レンズディスクを回転駆動することにより、検眼窓１１に所望する光学素子を配置する構成となっている。図示する被検眼ＰＥには、検眼窓１１に配置された光学素子７を通して光軸Ｌ上に位置する前方の検査視標５０を視認させ、その検査視標の見え具合に応じて光学素子７を切換えることにより、被検眼ＰＥの屈折力を検査する。
また、レンズユニット１０には、頂間距離ＶＤを確認するための角膜位置確認機構２０が設けられている。角膜位置確認機構２０は、被検眼ＰＥの側方に配置された照準目盛板２１と、ハーフミラー２２と、ハーフミラー２２の反射方向に配置されたレチクル板２３、ハーフミラー２２の透過方向に設けられたＣＣＤカメラからなる撮影装置２４とにより構成されている。レチクル板２３はレンズユニット１０の前側に設けられた覗き窓２５に配置されている。レンズユニット１０の前側に位置する検者眼ＯＥは、覗き窓２５から、これら照準目盛板２１、ハーフミラー２２、レチクル板２３を介して被検眼ＰＥの側方を観察し、目視にて頂間距離ＶＤを確認することができる。
【００１２】
図４は照準目盛板２１の構成図である。照準目盛板２１には数本の線からなる目盛が付されている。細線で描かれた目盛線Ｓ１〜Ｓ５は、順にＶＤ＝１２ｍｍ、１３．７５ｍｍ、１６ｍｍ、１８ｍｍ、２０ｍｍに対応している。なお、基準距離となる１３．７５ｍｍの目盛線Ｓ２は、他と区別するために点線で描かれている。中央に位置し、上と下からそれぞれ延びる太線Ｓ６は、レチクル板２３との位置合わせの基準線である。なお、照準目盛板２１、レチクル２３は、図１０及び図１１で示した照準目盛板１２１、レチクル板１２３と同機能を有している。
また、図３示すように、撮影装置２４は照準目盛板２１、ハーフミラー２２を介して被検眼ＰＥを側方から撮影することができるようになっている。撮影装置２４にて撮影された被検眼ＰＥの角膜像は、リレーユニット４を経てコントローラ３に送られ、コントローラ３に設けられているディスプレイに表示される。このような角膜位置確認機構２０は、左右のレンズユニット１０に各々設けられている。
【００１３】
図５はコントローラ３を上方から見た図である。３１は検眼情報を表示する液晶のディスプレイである。３２は検眼装置本体１や視標呈示装置２の操作や検眼プログラムを実行するための操作部であり、視標スイッチ群、マスクスイッチ群、プログラム検眼用のスタートスイッチ等の各種操作スイッチが用意されている。３３は図３に示した撮影装置２４にて撮影された被検眼ＰＥの角膜像をディスプレイ３１に表示させるためのＶＤスイッチである。ＶＤスイッチ３３を使用することにより、ディスプレイ３１の角膜像の表示（ＶＤ確認画面）をオン／オフすることができる。
【００１４】
以上のような構成を備える検眼装置について、被検眼ＰＥの位置の確認動作を中心に説明する。検者は図３に示すレンズユニット１０の前側に設けられた覗き窓２５を所定距離離れた位置から覗き、被検眼ＰＥの位置を確認する。例えば、被検眼ＰＥをＶＤ＝１３．７５ｍｍの基準位置に位置させたい場合、検者は覗き窓２５から見える図４に示す照準目盛板２１の目盛線Ｓ２とレチクル板に付された三角形状のレチクルとが一致して見えるように検者眼を左右方向に移動させる。その後、目盛線Ｓ２に、被検眼ＰＥの角膜頂点が位置するように図示なき額当てを移動させることにより、被検眼ＰＥをＶＤ＝１３．７５ｍｍに位置させることができる。
【００１５】
所定の頂間距離ＶＤが得られた後、検者はコントローラ３の操作部３２を用いて検眼装置本体１や視標呈示装置２を駆動させ、被検眼の検眼を始める。ここでコントローラ３のＶＤスイッチ３３により、ＶＤ確認画面の表示がオンとなっている場合には、図６に示すように、コントローラ３のディスプレイ３１に、検眼情報６０とともに、その検眼情報６０の表示を妨げない場所にＶＤ確認画面６１が表示される。図２に示す制御部４１は、撮影装置２４にて照準目盛板２１を介して被検眼ＰＥを撮影した撮影画像をリレーユニット４を介してコントロール３に送信する。コントロール３の制御部４０は、受け取った撮影画像をディスプレイ３１にＶＤ確認画面６１として表示する。
【００１６】
ディスプレイ３１に表示されるＶＤ確認画面６１は、現在の検査対象眼（右眼、左眼、両眼）に対応したものが、ディスプレイ３１に表示される。例えば、図６では両眼検査を行っている検査画面であるため、ここでは被検者の両眼のＶＤ確認画面６１（６１Ｌ，６１Ｒ）が表示されている。なお、本実施形態では、現在の検査対象眼に対応したＶＤ確認画面６１をディスプレイ３１に表示するものとしたが、これに限るものではなく、常に両眼のＶＤ確認画面を表示するようにしてもよいし、ディスプレイに表示させたいＶＤ確認画面（右眼のみ、左眼のみ、両眼）をコントローラ３のスイッチ操作により選択的に行うこともできる。
【００１７】
撮影装置２４は照準目盛板２１を介して被検眼ＰＥを撮影しているため、ＶＤ確認画面６１に表示される像は、角膜像と照準目盛板２１の目盛とが表示されることとなる。したがって、検査中であっても、検者はコントローラ３のディスプレイ３１に表示されるＶＤ確認画面６１を見るだけで、容易に頂間距離の確認を行うことができる。検眼中に被検眼の位置が変化してしまい、所望する頂間距離（例えばＶＤ＝１３．７５ｍｍ）が得られていない場合には、図３に示すレンズユニット１０に設けられた覗き窓２５から被検眼ＰＥの位置を確認しながら、図示なき額当て等を操作して、適正な位置に被検眼ＰＥの角膜頂点を位置させればよい。
【００１８】
なお、本実施形態では、図３に示すように、角膜位置確認用の目盛が付された照準目盛板２１を目視用と撮影装置用とで共用するものとしているが、これに限るものではなく、別個に設ける構成をすることもできる。また、コントローラのディスプレイにＶＤ確認画面を形成する場合に、照準目盛板を介して被検眼ＰＥを撮影するのではなく、被検眼ＰＥのみを撮影しておき、目盛をディスプレイ上に電気的に形成しておき、ここに撮影した角膜像を重畳して表示するような構成とすることもできる。
さらに、本実施形態では、被検眼の頂間距離ＶＤを手元のコントローラのディスプレイにて確認する機構について説明したが、これに限るものではなく、検査窓に配置される光学素子に対する被検眼の位置（上下左右）を手元のコントローラのディスプレイにて確認させることもできる。
【００１９】
次に、第２の実施形態として検査窓に配置される光学素子に対する被検眼の位置を手元のコントローラのディスプレイにて確認する実施形態を説明する。図７は第２の実施形態の検眼装置に用いる省スペース型の視力呈示装置を正面から見たときの光学系の透視図であり、図８は検眼装置の制御系を示したブロック図である。なお、前述した各部材と同機能を有するものは同符号を付し、詳細な説明は省略する。
【００２０】
２００は省スペース型の視標呈示装置を示し、正面上部には反射防止膜が施されたガラス板からなる図示なき窓が配置され、被検者はこの窓を介して中央に視標を見る。装置本体１の内部は黒色に塗装されており、内部構造が見えにくくしている。２０１はガラス板からなる円盤状の視標ディスク板であり、その同一円周上には多数の検査視標がクロム蒸着等により形成されている。視標ディスク板２０１は、視標ディスク板モータ２０２により回転され、被検者に呈示する視標を切り替え配置する。２０３は呈示視標の一部をマスクするためのマスク板であり、マスク板モータ２０４により回転され、視標に所期する必要なマスクをかける。
２０５は検査視標を照明する照明用ランプ、２０６はコンデンサレンズ、２０７は半透明の拡散板である。２０８はハーフミラー、２０９はビームスプリッタ、２１０は凹面鏡である。
【００２１】
本形態での凹面鏡２１０は、被検眼と視力呈示装置２００の窓との距離が１．１ｍのときに、視標と被検眼の光学距離を５ｍの検査距離にするようにその焦点距離が設計されている。照明ランプ２０５により照明された検査視標の光束は、コンデンサレンズ２０６、拡散板２０７を経た後、ハーフミラー２０８によって上方に反射され、ビームスプリッタ２０９を透過した後、凹面鏡２１０で反射される。凹面鏡２１０で反射した視標光束は、ビームスプリッタ２０９で反射され、図示なき窓を介して被検眼Ｅに向かう。なお、ビームスプリッタ２０９は、回転軸２１１に取付けられており、モータ２１２により回転軸２１１が回転するとビームスプリッタ２０９の傾斜角度が変えられる。これにより、ビームスプリッタ２０９で反射する視標光束の上下方向の光路が変えられ、被検眼の高さ位置に合わせて視標光束を導くことができる。
【００２２】
２１３は、視標呈示装置２００により呈示される視標像を図１に示した検眼装置本体１の検査窓１１を介して見る被検眼を正面から撮影するための撮影装置である。２１４はミラーである。撮影装置２１３の撮影光軸は、ミラー４３によって上方に折り曲げられた後、ハーフミラー２０３によって視標光束の光軸と同軸とされる。このような構成により、被検眼を視標の呈示方向から検眼装置本体１の検査窓１１を介して撮影することができる。
このような視標呈示装置は、図８に示すように、リレーユニット４を介して検眼装置のコントローラ３と電気的に接続されており、撮影装置２１３にて撮影された被検眼像は、制御手段２１５にてリレーユニット４を介してコントローラ３側に送られるようになっている。また、３４はコントローラ３の操作部３２に設けられた被検眼位置確認用スイッチである。
【００２３】
以上のような構成を備える検眼装置において、その動作を図８、図９を用いて説明する。検者は、コントローラ３を用いて視標呈示装置２００を駆動させ、所定の検査視標を呈示させるとともに、コントローラ３の被検眼位置確認用スイッチ３４を使用してディスプレイ３１に検眼情報とともに表示させる。
【００２４】
前述したように、視標呈示装置２００の撮影装置２１３の撮影光軸は、視標光束の光軸と同軸とされ、撮影装置２１３は、検眼装置１の検査窓１１周辺を撮影する。検査窓１１周辺を撮影することにより検査窓１１及び検査窓１１内に配置される光学素子７を介して被検眼ＰＥも撮影され、その撮影画像は制御部２１５によりリレーユニット４を介してコントローラ３に送られる。コントローラ３の制御部４０は、受け取った撮影画像を被検眼の位置確認用画面としてディスプレイ３１に所定の検査情報とともに表示させる。ディスプレイ３１に表示される位置確認用画面は、検査窓１１を介して被検眼ＰＥを撮影した画像が表示されるため、検者は検眼中であっても、この確認用画面を見ることにより、検査窓１１（光学素子７）に対する被検眼の上下左右位置を容易に確認することができることとなる。被検眼の位置が好ましくなければ、検者は検眼装置本体１や被検者自身を移動させ、好適な位置に補正すればよい。なお、このような被検眼ＰＥの位置確認用画面は、第１の実施の形態で示したＶＤ確認画面とともに表示できることは言うまでもない。
【００２５】
以上の実施形態では、省スペース型の視標呈示装置内に被検眼を撮影する撮影装置を設けるものとしているが、これに限るものではなく、視標呈示方向から検査窓を介して被検眼を撮影できる構成であればよい。たとえば据え置き型の視標呈示装置に、このような被検眼ＰＥを正面から撮影する機構を設けたり、或いは検眼装置本体に、ハーフミラー等を用いて検眼窓から被検眼を撮影する機構を設けることもできる。
【図面の簡単な説明】
【００２６】
【図１】本実施形態における検眼装置の外観を示した図である。
【図２】本実施形態における検眼装置の制御系を示したブロック図である。
【図３】レンズユニット内部の要部を示した図である。
【図４】照準目盛板の構成を示した図である。
【図５】コントローラの構成を示した図である。
【図６】コントローラのディスプレイに表示される検査画面の一例を示した図である。
【図７】第２の実施形態で用いる視標呈示装置の内部の概略構成を示した図である。
【図８】第２の実施形態における検眼装置の制御系を示したブロック図である。
【図９】視標呈示装置を用いて検眼を行う状態を示した図である。
【図１０】従来の検眼装置の要部構成を示した図である。
【図１１】従来の検眼装置におけるレチクル板を示した図である。
【符号の説明】
【００２７】
１  検眼装置本体
２  視標呈示装置
３  コントローラ
４  リレーユニット
１０  レンズユニット
１１  検眼窓
２０  角膜位置確認機構
２１  照準目盛板
２３  レチクル板
２４  撮影装置
３１  ディスプレイ
３３  ＶＤスイッチ
【図１】
2006187430.tif 000003
【図２】
2006187430.tif 000004
【図３】
2006187430.tif 000005
【図４】
2006187430.tif 000006
【図５】
2006187430.tif 000007
【図６】
2006187430.tif 000008
【図７】
2006187430.tif 000009
【図８】
2006187430.tif 000010
【図９】
2006187430.tif 000011
【図１０】
2006187430.tif 000012
【図１１】
2006187430.tif 000013